(57)【要約】【課題】  携帯電話システムの周波数配分変更に伴う変更コストを抑え、小型で周波数変更対応が容易な光ファイバ無線（ＲＯＦ）装置を提供する。【解決手段】  ＲＰＦ装置のデュプレクサ部３に、所定の下りリンクの送信ブロックの周波数帯域に対して通過特性を持つ送信ＢＰＦと１と、当該下りリンクの送信ブロックの周波数帯域に対する遮断特性を持つ受信ＢＥＦ３２とハイブリッド３３とを組み合わせて使用する。【選択図】  図１
2006245933.tif 000002
【特許請求の範囲】
【請求項１】
携帯電話端末への下りリンクが所定の下り周波数ブロック内の所定の周波数帯で構成され、携帯電話端末からの上りリンクが所定の上り周波数ブロック内の第２の所定の周波数帯で構成される携帯電話の基地局との間で自装置のアンテナから送受信する電波が光信号に変換されて光ファイバケーブルを介して中継送受信される光ファイバ無線装置において、
前記基地局から受信する光信号を電気信号に変換して出力するＯ／Ｅ変換器と、
前記Ｏ／Ｅ変換器から出力される前記電気信号を増幅した電波信号として出力する送信アンプと、
前記アンテナが接続され、前記アンテナへ前記送信アンプから入力された電波信号を下りリンクの電波として出力すると共に、前記アンテナが受信する上りリンクの電波を上りリンクの電波信号として出力するデュプレクサ部と、
前記デュプレクサ部から出力される前記上りリンクの電波信号を増幅した前記上りリンクの電気信号を出力するＬＮＡと、
前記ＬＮＡから入力される前記上りリンクの電気信号を光信号に変換して前記携帯電話の基地局へ前記光ファイバケーブルを介して出力するＥ／Ｏ変換器とを備え、
前記デュプレクサ部は、
前記下りリンクの周波数ブロックを通過帯域とし、前記送信アンプから入力された前記電波信号を出力する送信バンドパスフィルタと、
前記下りリンクの送信電波が送信される周波数ブロックを遮断帯域とし、前記上りリンクの電波信号を前記ＬＮＡへ出力する受信バンドエリミネートフィルタと、
前記送信バンドパスフィルタの出力が入力される入力端子と、前記アンテナが接続される入出力端子と、前記受信バンドエリミネータフィルタに接続される出力端子を備えるハイブリッドとを
具備することを特徴とする光ファイバ無線装置。
【請求項２】
前記上りリンクの周波数ブロックは、前記下りリンクの周波数ブロックを挟んで上下に設定されることを特徴とする請求項１記載の光ファイバ無線装置。
【請求項３】
携帯電話端末への下りリンクが所定の下り周波数ブロック内の所定の周波数帯で構成され、携帯電話端末からの上りリンクが前記下りリンクの周波数ブロックを挟んで上下に設定される所定の上り周波数ブロック内の第２の所定の周波数帯で構成される携帯電話の基地局との間で自装置のアンテナから送受信する電波が光信号に変換されて光ファイバケーブルを介して中継送受信される光ファイバ無線装置において、
前記基地局から受信する光信号を電気信号に変換して出力するＯ／Ｅ変換器と、
前記Ｏ／Ｅ変換器から出力される前記電気信号を増幅した電波信号として出力する送信アンプと、
前記アンテナが接続され、前記アンテナへ前記送信アンプから入力された電波信号を下りリンクの電波として出力すると共に、前記アンテナが受信する上りリンクの電波を上りリンクの電波信号として出力するデュプレクサ部と、
前記デュプレクサ部から出力される前記上りリンクの電波信号を増幅した前記上りリンクの電気信号を出力するＬＮＡと、
前記ＬＮＡから入力される前記上りリンクの電気信号を光信号に変換して前記携帯電話の基地局へ前記光ファイバケーブルを介して出力するＥ／Ｏ変換器と
前記ＬＮＡと前記デュプレクサ部との間に設置される補助フィルタとを備え、
前記デュプレクサ部は、
前記下りリンクの周波数ブロックを通過帯域とし、前記送信アンプから入力された前記電波信号を出力する送信バンドパスフィルタと、
前記下りリンクの送信電波が送信される周波数ブロックを遮断帯域とし、前記上りリンクの電波信号を前記ＬＮＡへ出力する受信バンドエリミネートフィルタと、
前記送信バンドパスフィルタの出力が入力される入力端子と、前記アンテナが接続される入出力端子と、前記受信バンドエリミネータフィルタに接続される出力端子を備えるハイブリッドとを有し、
前記補助フィルタは、前記上りリンクの前記２つの周波数ブロックのうち少なくともいずれか１つに対応するバンドパスフィルタを備える
ことを特徴とする光ファイバ無線装置。
【請求項４】
前記補助フィルタは、前記上りリンクの前記２つの周波数ブロックそれぞれに対応するバンドパスフィルタを備え、いずれか一方が内蔵するスイッチにより選択される事を特徴とする請求項３記載の光ファイバ無線装置。
【請求項５】
携帯電話端末への下りリンクが所定の下り周波数ブロック内の所定の周波数帯で構成され、携帯電話端末からの上りリンクが所定の上り周波数ブロック内の第２の所定の周波数帯で構成される携帯電話の基地局との間で自装置のアンテナから送受信する電波が光信号に変換されて光ファイバケーブルを介して中継送受信される光ファイバ無線装置の信号処理方法において、
前記光ファイバ無線装置は、
アンテナと、Ｏ／Ｅ変換器と、送信アンプと、送信バンドパスフィルタと、ハイブリッドと、受信バンドエリミネータフィルタと、ＬＮＡと、Ｅ／Ｏ変換器とを備え、
前記Ｏ／Ｅ変換器は、前記基地局から前記光ファイバケーブルを介して受信する光信号を電気信号に変換して前記送信アンプへ出力し、
前記出力された電気信号を入力された前記送信アンプは、前記Ｏ／Ｅ変換器から出力される前記電気信号を増幅した電波信号として前記送信バンドパスフィルタへ出力し、
前記電波信号を入力された前記送信バンドパスフィルタは、前記下りリンクの周波数ブロックに対応する電波信号を通過して前記ハイブリッドの入力端子へ出力し、
前記ハイブリッドは、前記アンテナが接続される入出力端子を備え、前記アンテナへ前記送信バンドパスフィルタから入力された電波信号出力すると共に、前記アンテナが受信する上りリンクの電波を上りリンクの電波信号として出力端子へ出力し、
前記出力バンドエリミネータフィルタは、前記ハイブリッドの出力端子に接続され、
前記ハイブリッドから出力される電波信号のうち前記下りリンクの周波数ブロックに対応する電波信号を遮断すると共に前記上りリンクの電波信号を通過して前記ＬＮＡへ出力し、
前記ＬＮＡは、前記入力された前記上りリンクの電波信号を増幅して電気信号として前記Ｅ／Ｏ変換器へ出力し、
前記電気信号を入力されたＥ／Ｏ変換器は、前記電気信号を光信号に変換して前記光ファイバケーブルを介して前記基地局へ向けて出力する
ことを特徴とする光ファイバ無線装置の信号処理方法。
【請求項６】
前記上りリンクの周波数ブロックは、前記下りリンクの周波数ブロックを挟んで上下に設定されることを特徴とする請求項５記載の光ファイバ無線装置の信号処理方法。
【請求項７】
携帯電話端末への下りリンクが所定の下り周波数ブロック内の所定の周波数帯で構成され、携帯電話端末からの上りリンクが前記下りリンクの周波数ブロックを挟んで上下に設定される所定の上り周波数ブロック内の第２の所定の周波数帯で構成される携帯電話の基地局との間で自装置のアンテナから送受信する電波が光信号に変換されて光ファイバケーブルを介して中継送受信される光ファイバ無線装置の信号処理方法において、
前記光ファイバ無線装置は、
アンテナと、Ｏ／Ｅ変換器と、送信アンプと、送信バンドパスフィルタと、ハイブリッドと、受信バンドエリミネータフィルタと、ＬＮＡと、補助フィルタとＥ／Ｏ変換器とを備え、
前記Ｏ／Ｅ変換器は、前記基地局から前記光ファイバケーブルを介して受信する光信号を電気信号に変換して前記送信アンプへ出力し、
前記出力された電気信号を入力された前記送信アンプは、前記Ｏ／Ｅ変換器から出力される前記電気信号を増幅した電波信号として前記送信バンドパスフィルタへ出力し、
前記電波信号を入力された前記送信バンドパスフィルタは、前記下りリンクの周波数ブロックに対応する電波信号を通過して前記ハイブリッドの入力端子へ出力し、
前記ハイブリッドは、前記アンテナが接続される入出力端子を備え、前記アンテナへ前記送信バンドパスフィルタから入力された電波信号出力すると共に、前記アンテナが受信する上りリンクの電波を上りリンクの電波信号として出力端子へ出力し、
前記出力バンドエリミネータフィルタは、前記ハイブリッドの出力端子に接続され、
前記ハイブリッドから出力される電波信号のうち前記下りリンクの周波数ブロックに対応する電波信号を遮断すると共に前記上りリンクの電波信号を通過して前記ＬＮＡへ出力し、
前記ＬＮＡは、前記入力された前記上りリンクの電波信号を増幅して電気信号として前記補助フィルタへ出力し、
前記補助フィルタは、バンドパスフィルタを備え、前記入力された電気信号のうち少なくとも、前記上りリンクの前記２つの周波数ブロックのうち少なくともいずれか１つに対応する周波数帯域を通過させて前記Ｅ／Ｏ変換器に出力し、
前記電気信号を入力されたＥ／Ｏ変換器は、前記電気信号を光信号に変換して前記光ファイバケーブルを介して前記基地局へ向けて出力する
ことを特徴とする光ファイバ無線装置の信号処理方法。
【請求項８】
前記補助フィルタは、前記上りリンクの前記２つの周波数ブロックそれぞれに対応するバンドパスフィルタを備え、いずれか一方が内蔵するスイッチにより選択される事を特徴とする請求項７記載の光ファイバ無線装置の信号処理方法。
【発明の詳細な説明】
【技術分野】
【０００１】
本発明は、携帯電話の基地局等に適用される光ファイバ無線装置、およびその信号処理方法に関する。
【背景技術】
【０００２】
多くの携帯電話の基地局は、カバーエリア半径１〜３Ｋｍにして設置されるが携帯電話の普及に伴い端末数が増えるに従い、カバーエリアがマイクロセルと呼ばれる小さい小出力の送信器による小型基地局が導入されている。この小型基地局は、交換機能や、トラフィック制御等を備えないもので、通常の携帯電話の基地局、またはセンター装置等に付随して設置される、ヘッドエンドの無線装置である。そして、従来の基地局からは、本来アンテナから送信する電波に相当する周波数のキャリアの電波信号がＥ／Ｏ（光−電気）変換器によって光信号に変換され小型基地局まで光ファイバによって伝送される。
【０００３】
そして、小型基地局でＯ／Ｅ変換器により再度電気信号に復調され、そのキャリア信号がアンテナから送信される。小型基地局は、同様にアンテナが受信した電波がＥ／Ｏ変換器によって光信号に変換され、基地局に光ファイバケーブルを介して送信される。
【０００４】
この様な携帯電話の基地局との間で光信号を変換された信号を送受信する小型基地局は、光ファイバ無線局（以下、ＲＯＦ装置）と呼ばれ、光信号を送受信される電波のキャリアで直接光強度変調すれば良いので、無線装置が小型で済む特徴がある。そのため、基地局と通信できないビル影や、アクセスが頻繁に発生する繁華街の多くのスポットに設置されるか、または、市街地から離れた農村集落等に携帯電話の基地局のカバーエリアをスポット的に延長する場合に使用される（例えば、特許文献１参照。）。
【０００５】
さて、この様なＲＯＦ基地局は、光信号を送信電波のベースバンド周波数で直接強度変調すれば良く、電気信号レベルで送受信周波数の信号帯域毎にバンドパスフィルタを用いて、アンテナから送受信する電波の周波数設定を行っている。
【０００６】
図６は、従来のＲＯＦ装置の構成を説明する機能ブロック図である。  
図６において、従来のＲＯＦ装置は、基地局から光ファイバケーブルを介して受信する光信号を受信して電気信号に復調するＯ／Ｅ変換器１０、復調された下りリンクの電波信号を増幅する広帯域の送信アンプ２０、デュプレクサ３０、アンテナ４０、アンテナ４０から受信した携帯電話端末から上りリンクの電波を増幅する広帯域のＬＮＡ（低雑音増幅器）５０、ＬＮＡ５０が出力する電気信号を光信号に変換して光ファイバケーブルへ出力するＥ／Ｏ変換器６０を備えている。そして、デュプレクサ３０は、送信用のバンドパスフィルタ（以下、送信ＢＰＦと称する。）３１０と受信用のバンドパスフィルタ（以下、受信ＢＰＦと称する。）３２０とハイブリッド３３０とを有している。そして、後述の様に、上りと下りの周波数ブロックに対応するため、送信ＢＰＦ３１０は、更に２つの周波数帯域の送信ＢＰＦ３１１と３１２とを備え、受信ＢＰＦ３２０も受信ＢＰＦ３２１、３２２との２つを備えている。
【０００７】
図２は、携帯電話における周波数配分の概念と周波数移行の段階を示す図である。  
図２は、現在の運用周波数配分を示す図２（ａ）、周波数配分移行の中間運用状態（以下、第１ステップと呼ぶ。）を示す図２（ｂ）、および以降終了時（以下、第２ステップと呼ぶ。）の周波数配分を示す図２（ｃ）に分類される。
【０００８】
図２（ａ）において、携帯電話の事業者は、事業者毎に下りリンク用の周波数ブロックＦＡと、上りリンク用の周波数ブロックＲＢとを用いて双方向通信を行っている。周波数ブロックＦＡは、更に例えば、３ＭＨｚ帯域幅のｆ１ａ〜ｆ２ａの周波数帯ＦＡ１と、例えば、１０ＭＨｚ帯域幅のｆ３ａ〜ｆ４ａの周波数帯ＦＡ２とから構成され、同様に周波数ブロックＲＢは、３ＭＨｚ帯域幅のｆ１ｂ〜ｆ２ｂの周波数帯ＦＢ１と１０ＭＨｚ帯域幅のｆ３ｂ〜ｆ４ｂの周波数帯ＦＢ２とから構成される。
【０００９】
図２（ａ）の上りリンク用の周波数ブロックは、図２（ｃ）における移行終了時には、下りリンク用の周波数ブロックよりも下の周波数に位置する周波数ブロックＲＣに移行すると共にその周波数帯域幅は、合計１３ＭＨｚ幅のＲＢよりも広がり、ｆｃ１〜ｆｃ２の１５ＭＨｚの連続した周波数ブロックで運用されるようになる。また、周波数ブロックＦＡも同様に周波数帯域幅がｆ３ａ〜ｆ５ａの１５ＭＨｚになる。
【００１０】
しかし、携帯電話端末を含めてこの周波数移行を一度に行うことが困難なため、図２（ｂ）に示されるように、第１ステップ、第２ステップの段階的に周波数移行が行われる。
【００１１】
図２（ｂ）の第１ステップでは、下りリンク用の周波数ブロックＦＡ中の周波数帯ＦＡ２は、高域周波数がｆ４ａからｆ５ａに高くなり、１５ＭＨｚ帯域幅となる。そして、下り用の周波数ブロックＦＡは、ＦＡ１の３ＭＨｚ帯と、ＦＡ２の１５ＭＨｚの合計１８ＭＨｚ帯で運用される。
【００１２】
一方、下りリンク用の周波数ブロックＲＢは、そのままであるが、上りリンク用の周波数ブロックＲＣに、５ＭＨｚ帯域幅での２ｃ〜ｆ３ｃの周波数帯ＲＣ１が設けられ、上り用の周波数ブロックは、周波数ブロックＲＢ、ＲＣの２つの周波数ブロックで運用される。
【００１３】
図２（ｃ）の第２ステップの移行終了時には、下りリンク用の周波数帯ＦＡ１が非使用状態となる。また、上りリンクの周波数ブロックＲＢは閉鎖され、代わりに周波数ブロックＲＣの周波数帯ＲＣ１が低域で１０ＭＨｚ帯域幅のｆ１ｃ〜ｆ２ｃが追加され、合計１５ＭＨｚ帯域幅のｆ１ｃ〜ｆ３ｃに広がって運用されるようになる。
【００１４】
なお、周波数ブロックＦＡ、ＲＢ、ＲＣの間には、所定のガードバンドが設けられ、上りと下りの電波の間での干渉が防がれている。
【００１５】
従来のＲＯＦ装置では、現在の周波数配分に対応するため、周波数帯ＦＡ１、ＦＡ２に対応した送信ＢＰＦ３１１、３１２が使用されている。そして、ステップ１では、送信ＢＰＦ３１２が帯域幅の拡大に伴い、通過帯域が１０ＭＨｚから１５ＭＨｚのものに交換されなければならず、同時に図示されない新たな周波数帯ＲＣ１に対応する３つ目の受信バンドパスフィルタが受信ＢＰＦ３２０に追加される。この様に、ステップ１では、デュプレクサ３０において３番目の受信バンドパスフィルタが追加されスペースが増えるとともに送信ＢＰＦ３１２の交換作業が発生する。
【００１６】
そして、デュプレクサ３０においてステップ２では、図示されない前述の３つ目の受信バンドパスフィルタを周波数帯域幅拡大に伴い通過帯域が５ＭＨｚから１５ＭＨｚ帯域のものへ変更しなければならず、また、使用されなくなる周波数帯ＦＡ１、およびＲＢ１とＲＢ２に対応する各送信ＢＰＦ３１１、およびＢＰＦ３２１と３２２とを外す作業が必要である。
【００１７】
従来の方法では、この様な物理的なスペース増加や作業性の問題があることに加え、例えば、ステップ２において、受信バンドパスフィルタが追加されることによりアンテナ４０から受信した信号が劣化するなどの受信条件が変化する。そのため、ＬＮＡ５０に初段残津音特性が良いものを必要とするか、ＬＮＡ５０の調整などの余計な作業が発生するので、コスト、容易な変更が出来ない。以上の説明の如く、従来のＲＯＦ装置では、周波数ブロックや周波数帯を変更するには、送受信に用いるバンドパスフィルタを追加したり交換しなければならずコストを要し、またデュプレクサに用いるフィルタブロックが大型化すると共にフィルタ追加に伴う特性劣化が生じるほか、速やかな変更、切換が出来ない問題があった。
【特許文献１】特開２００４−２２９１８０号公報（第１２頁、第１図）
【発明の開示】
【発明が解決しようとする課題】
【００１８】
従来のＲＯＦ基地局は、送受信周波数の信号帯域の拡大、移動等の変更、周波数ブロック配分の移動等の変更には、送受信器毎に用いるバンドパスフィルタを追加したり交換しなければならず、追加コストがかかるとともに、フィルタブロックが大型化し、且つフィルタ追加に伴う特性劣化が生じ、速やかな変更、切換が出来ない問題があった。
【００１９】
本発明は上記問題を解決するためになされたもので、携帯電話システムの周波数配分変更に伴う変更コストを抑え、小型で周波数変更対応が容易な光ファイバ無線（ＲＯＦ）装置、およびその信号処理方法を提供することを目的とする。
【課題を解決するための手段】
【００２０】
上記目的を達成するために、本発明の光ファイバ無線装置は、携帯電話端末への下りリンクが所定の下り周波数ブロック内の所定の周波数帯で構成され、携帯電話端末からの上りリンクが所定の上り周波数ブロック内の第２の所定の周波数帯で構成される携帯電話の基地局との間で自装置のアンテナから送受信する電波が光信号に変換されて光ファイバケーブルを介して中継送受信される光ファイバ無線装置において、アンテナと、前記基地局から受信する光信号を電気信号に変換して出力するＯ／Ｅ変換器と、前記Ｏ／Ｅ変換器から出力される前記電気信号を増幅した電波信号として出力する送信アンプと、前記アンテナが接続され、前記アンテナへ前記送信アンプから入力された電波信号を下りリンクの電波として出力すると共に、前記アンテナが受信する上りリンクの電波を上りリンクの電波信号として出力するデュプレクサ部と、前記デュプレクサ部から出力される前記上りリンクの電波信号を増幅した前記上りリンクの電気信号を出力するＬＮＡと、前記ＬＮＡから入力される前記上りリンクの電気信号を光信号に変換して前記携帯電話の基地局へ前記光ファイバケーブルを介して出力するＥ／Ｏ変換器とを備え、前記デュプレクサ部は、前記下りリンクの周波数ブロックを通過帯域とし、前記送信アンプから入力された前記電波信号を出力する送信バンドパスフィルタと、前記下りリンクの送信電波が送信される周波数ブロックを遮断帯域とし、前記上りリンクの電波信号を前記ＬＮＡへ出力する受信バンドエリミネートフィルタと、前記送信バンドパスフィルタの出力が入力される入力端子と、前記アンテナが接続される入出力端子と、前記受信バンドエリミネータフィルタに接続される出力端子を備えるハイブリッドとを具備することを特徴とする。
【００２１】
また、本発明の光ファイバ無線装置の信号処理方法は、携帯電話端末への下りリンクが所定の下り周波数ブロック内の所定の周波数帯で構成され、携帯電話端末からの上りリンクが所定の上り周波数ブロック内の第２の所定の周波数帯で構成される携帯電話の基地局との間で自装置のアンテナから送受信する電波が光信号に変換されて光ファイバケーブルを介して中継送受信される光ファイバ無線装置の信号処理方法において、前記光ファイバ無線装置は、アンテナと、Ｏ／Ｅ変換器と、送信アンプと、送信バンドパスフィルタと、ハイブリッドと、受信バンドエリミネータフィルタと、ＬＮＡと、Ｅ／Ｏ変換器とを備え、前記Ｏ／Ｅ変換器は、前記基地局から前記光ファイバケーブルを介して受信する光信号を電気信号に変換して前記送信アンプへ出力し、前記出力された電気信号を入力された前記送信アンプは、前記Ｏ／Ｅ変換器から出力される前記電気信号を増幅した電波信号として前記送信バンドパスフィルタへ出力し、前記電波信号を入力された前記送信バンドパスフィルタは、前記下りリンクの周波数ブロックに対応する電波信号を通過して前記ハイブリッドの入力端子へ出力し、前記ハイブリッドは、前記アンテナが接続される入出力端子を備え、前記アンテナへ前記送信バンドパスフィルタから入力された電波信号出力すると共に、前記アンテナが受信する上りリンクの電波を上りリンクの電波信号として出力端子へ出力し、前記出力バンドエリミネータフィルタは、前記ハイブリッドの出力端子に接続され、前記ハイブリッドから出力される電波信号のうち前記下りリンクの周波数ブロックに対応する電波信号を遮断すると共に前記上りリンクの電波信号を通過して前記ＬＮＡへ出力し、前記ＬＮＡは、前記入力された前記上りリンクの電波信号を増幅して電気信号として前記Ｅ／Ｏ変換器へ出力し、前記電気信号を入力されたＥ／Ｏ変換器は、前記電気信号を光信号に変換して前記光ファイバケーブルを介して前記基地局へ向けて出力することを特徴とする。
【発明の効果】
【００２２】
本発明によれば、携帯電話システムの周波数配分変更に伴う変更コストを抑え、小型で周波数変更対応が容易な光ファイバ無線（ＲＯＦ）装置、およびその信号処理方法を提供することができる。
【発明を実施するための最良の形態】
【００２３】
以下、図面を参照して本発明の実施例を説明する。
【実施例１】
【００２４】
図１は、本発明の実施例１に係るＲＯＦ装置の機能構成を示すブロック図である。  
図１においてＲＯＦ装置は、Ｏ／Ｅ変換器１、広帯域の送信アンプ２、デュプレクサ部３、アンテナ４、広帯域のＬＮＡ（低雑音増幅器）５、Ｅ／Ｏ変換器６とを備えている。そして、デュプレクサ部３は、送信バンドパスフィルタ（以下、送信ＢＰＦと称する。）３１と受信バンドエリミネートフィルタ（以下、受信ＢＥＦと称する。）３２とハイブリッド３３とを有している。
【００２５】
なお、図２の周波数ブロックおよび周波数帯域は、携帯電話システムにおける、ブロックと周波数帯域幅の配分方法に準じるもので有れば、帯域幅の値等は図２に限られるものでない。
【００２６】
さて、図１において、ＲＯＦ装置は、光ファイバケーブルを介して基地局から下りリンクの送信電波をＯ／Ｅ変換器１が光の強度変調された信号として受信し、電気信号に変換して送信アンプ２へ出力する。送信アンプ２は、所定の出力の電波信号をデュプレクサ部３へ出力し、アンテナ４から下りリンクの電波を送信する。また、アンテナ４は、携帯電話の端末からの上り電波を受信し、デュプレクサ部３を介してＬＮＡ５へ出力し、ＬＮＡ５は、受信した電波を増幅した電気信号を信号Ｅ／Ｏ変換器６へ出力する。Ｅ／Ｏ変換器６は、電気信号を光信号に変換して光ファイバケーブルを介して基地局へ送信する。
【００２７】
図３は、本発明の実施例１における、デュプレクサ部３の送信ＢＰＦ３１と、受信ＢＥＦ３２の図２に示される周波数ブロックに対する通過帯域特性を示す図である。  
送信ＢＰＦ３１は、図２における下りリンクの周波数帯の電波信号を通過し、受信ＢＥＦ３２は、反対に、図２における下りリンクの周波数帯の電波信号を遮断（抑圧）する。
【００２８】
図３において、送信ＢＰＦ３１は、携帯電話の各通信事業者に割り当てられた固有の周波数ブロック幅ＦＡを通過するバンドパス特性ＢＰＡを持つ。この通過帯域特性は、通過帯域が広く、下りリンクの送信周波数は、図２（ａ）の現在におけるＦＡ１とＦＡ２の周波数帯域、図２（ｂ）のステップ１における周波数帯域ＦＡ１、ＦＡ２、およびステップ２の周波数帯域ＦＡ２のいずれも周波数ブロックＦＡ内には収まっている。従って、送信ＢＰＦ３１は、周波数移行が有っても変更する必要が無い。
【００２９】
一方、受信ＢＥＦ３２は、送信ＢＰＦと反対の通過特性を有し、送信ＢＰＦ３１通過帯域であるＦＡが反対に遮断帯域となり、その両側の周波数の信号が通過する帯域遮断特性ＢＥＡを備えている。これらのＢＰＦ３１とＢＥＦ３２のフィルタの遮断特性の肩の部分は、各周波数ブロックＦＡ、ＲＢ、ＲＣの間のガードバンドに設定される。
【００３０】
従って、移行開始前の現在時点では、送信ＢＰＦ３１の高域遮断帯域よりも高い周波数の上りリンクの電波信号を自局の送信電波に妨げられることなくデュプレクサ部３を介してＬＮＡ５は受信でき、また、移行途中のステップ１、移行終了後のステップ２でも送信電波は遮断される一方、送信ＢＰＦ３１の低域遮断周波数よりも低い周波数の上りリンクの電波の受信も可能である。
【００３１】
送信ＢＰＦ３１の遮断帯域外に上りリンクの周波数ブロックＲＢ、ＲＣがあるので、これらの周波数ブロック内で周波数帯が移動したり周波数ブロックを跨って上りリンクの周波数が移動する変更がなされても従来のように受信周波数帯域毎にバンドパスフィルタを準備したり交換を行わなくても所要の上りリンクの電波を受信出来る。
【００３２】
本実施例１によるＲＯＦ装置では、予め所定の下りリンク用の周波数ブロックＦＡに対応する送信ＢＰＦと受信ＢＥＦと対にしてデュプレクサ部に挿入することにより、所定の周波数ブロックにおいて周波数帯が追加、削除、帯域の変更等が行われても送信用ＢＰＦや受信ＢＰＦを変更する必要が無い。従って、本発明の実施例１に係わるＲＯＦ装置は、周波数帯の移動等の変更が有ってもデュプレクサ部に対する変更作業は発生しないのでこれらの変更に対して経済的、また速やかに対応出来る。
【実施例２】
【００３３】
図４は、本発明の実施例２におけるＲＯＦ装置の機能構成を示すブロック図である。  
実施例２によるＲＯＦ方式装置は、実施例１によるＲＯＦ装置のＬＮＡ５とＥ／Ｏ変換器６との間に補助フィルタ７を備えている以外は同じである。
【００３４】
補助フィルタ７は、基地局で受信する上り電波信号にアンテナ４から受信される干渉波成分を除去するために補助的に追加され、ＢＰＦ７１、７２およびそれらのＢＰＦを切り替えるスイッチ７３を備えている。
【００３５】
図５は、実施例２におけるＢＰＦ７１、７２、ＢＰＦ３１、およびＢＦＥ３２の周波数ブロックに対する信号の通過特性を示す図である。  
図５において、ＢＰＦ７１、７２はそれぞれ周波数ブロックＲＢ、ＲＣに対応するバンドパス特性を備えている。  
周波数移行前の現時点では、ステップ２で使用を始める上り周波数ブロックＲＣにおいて、運用中の他の無線局が存在するか、更に別周波数ブロックで運用する他の無線局からの不要輻射による干渉波が存在する場合がある。そのため、基地局側では、これらの干渉波を除去しておく方が望ましく、現時点、およびステップ１の移行段階では、上り周波数ブロックＲＢの信号だけを通過させるＢＰＦ７１を使用し、ステップ２へ移行する時に除去する。
【００３６】
また、反対に、ステップ２へ移行した時点では、上り周波数ブロックＲＢで運用中の他の無線局が存在するか、更に別周波数ブロックで運用する他の無線局からの不要輻射による干渉波が存在する場合がある。それらの干渉波の影響を避けるため、周波数ブロックＲＣだけを通過するＢＰＦ７２をステップ２で終了時に追加する。
【００３７】
第２の実施例では、周波数ブロックＲＢが周波数フブロックＲＣへ変更するのに伴うＢＰＦの変更作業が発生する。しかし、補助フィルタ７に２種類のフィルタ７１と７２とを備えておき、ステップ１から２へ変わる時にスイッチ７３でＢＰＦ７１からＢＰＦ７２へ切り替える様にすることによりフィルタの交換作業は発生しない。また、これらのバンドパスフィルタは、性能特性は厳しくなくて済むので追加によるコスト増加を低く抑えることが出来る。
【００３８】
そして、補助フィルタを使用する方法は、実施例１に比べてデュプレクサ部３に用いるＢＰＦ３１、ＢＦＥ３２の通過帯域、または遮断帯域に対する減衰特性や、ロールオフなどの要求特性を軽減できるので、総合的にＲＯＦ装置のコストを下げること効果もある。
【００３９】
なお、この補助フィルタ７を設ける位置は、ＬＮＡ５の出力側に設けているが、ＬＮＡ５の許容雑音レベルに余裕がある場合には、デュプレクサ部３の出力とＬＮＡ５との間に設けても良い。
【００４０】
また、上記説明では、ハイブリッドとバンドパスフィルタとバンドエリミネータフィルタとからなるデュプレクサ部を１つの機能構成として説明しているが、これらは一体の構造物でなく分離して配置される構造であってもよい。
【００４１】
以上、説明下如く本発明によれば、周波数帯の移動等の変更が有ってもデュプレクサ部に対する変更作業は発生しないのでこれらの変更に対して経済的、また速やかに対応出来るＲＯＦ装置を提供することが出来る。
【図面の簡単な説明】
【００４２】
【図１】本発明の実施例１に係わるＲＯＦ装置の機能構成を示すブロック図。
【図２】携帯電話における周波数配分の概念と周波数移行の段階を示す図。
【図３】本発明の実施例１におけるデュプレクサ部のＢＰＦと、ＢＥＦの周波数ブロックに対する通過帯域特性。
【図４】本発明の実施例２に係わるＲＯＦ装置の機能構成を示すブロック図。
【図５】実施例２におけるＢＰＦの周波数ブロックに対する信号の通過特性の図。
【図６】従来のＲＯＦ装置の機能構成を示すブロック図。
【符号の説明】
【００４３】
１  Ｏ／Ｅ（光・電気）変換器
２  送信アンプ
３  デュプレクサ部
３１  送信ＢＰＦ（バンドパスフィルタ）
３２  受信ＢＥＦ（バンドエリミネートフィルタ）
３３  ハイブリッド
４  アンテナ
５  ＬＮＡ（低雑音増幅器）
６  Ｅ／Ｏ（電気・光）変換器
７  補助フィルタ
７１、７２  ＢＰＦ
【図１】
2006245933.tif 000003
【図２】
2006245933.tif 000004
【図３】
2006245933.tif 000005
【図４】
2006245933.tif 000006
【図５】
2006245933.tif 000007
【図６】
2006245933.tif 000008